(57)【特許請求の範囲】
【請求項１】
包装紙により個包装したガム等の板状食品を複数枚整列させた状態で集積して包装容器に収容する包装構造であって、
前記包装紙は、前記板状食品を前記包装容器から取り出す際の引き抜き方向側を覆う第１包装紙片と、反引き抜き方向側を覆う第２包装紙片とを有し、前記第１包装紙片および第２包装紙片は、互いに重なり合う重ね合わせ部を有し、当該重ね合わせ部は所定の力以上の引っ張り力が加わると分離可能なように、紙同士の摩擦力で結合し合うオーバーラップ摩擦結合領域となっており、
前記包装紙によって各板状食品が個包装されており、かつ、前記包装容器に収容された状態で、前記各包装紙の第２包装紙片を前記包装容器内に留め置くように、前記第２包装紙片を前記包装容器内に接着するための接着手段を有することを特徴とする、包装構造。
【発明の詳細な説明】
【技術分野】
【０００１】
この発明は、ガムやチョコレート等の板状食品を個包装して包装容器に収容する包装構造に関し、特に、包装容器から板状食品を１つずつ個別に取り出して喫食するのに良好な包装構造に関する。
【背景技術】
【０００２】
従来、ガムやチョコレート等の板状の食品を収容する包装容器として、特許文献１や特許文献２に記載のものがある。
これら特許文献に記載の包装容器は、板状食品を立てた状態で、前列よりも後列側が高くなるように段差を設けて２列に重ね、コンパクトに収容したものである。
かかる構成によれば、包装容器内の板状食品の高さが前列より後列側が高くなるため、食品の取り出しが容易になる。また、板状食品を包装容器内に仮着しているので、たとえば前列の板状食品を取り出す時に、後列の板状食品の整列が乱れることが防止される。
【先行技術文献】
【特許文献】
【０００３】
【特許文献１】特許第３９５５３５５号公報
【特許文献２】特許第３９５５３５６号公報
【特許文献３】特開２００９−１７３３２２号
【発明の概要】
【発明が解決しようとする課題】
【０００４】
特許文献１及び特許文献２に開示された包装構造（包装容器）では、包装容器から個々の板状食品を取り出して喫食することができるが、取り出した際に個々の板状食品の包装紙を剥離しなければならず、喫食時の包装紙の取り外しが煩わしいという課題がある。
一方、特許文献３には、板状食品を個包装する包装紙に予めミシン目を入れておき、ミシン目入りの包装紙で個包装された板状食品の包装紙の一端側を包装容器内に接着しておくことにより、包装紙の他端側を介して板状食品を把持して板状食品を引き抜くことにより、包装紙のミシン目部分が引きちぎれて板状食品の一端が露出した状態で包装容器から取り出せ、容易に喫食できる包装構造が提案されている。
【０００５】
上記ミシン目入りの個包装紙は、板状食品の引き抜き時にミシン目が切れて板状食品を喫食可能に取り出せる点では優れているが、ミシン目の大きさや間隔を板状食品毎に設計しなければ、引き抜き時にミシン目が適切に切れないこともある。そこで、より良好に板状食品を引き抜くことができ、引き抜いた際に板状食品の一端側が露出して引き出せるような包装構造が望まれる。
【０００６】
この発明は、係る背景のもとになされたものであり、包装容器から板状食品を取り出した際に、個包装された板状食品の一端の包装が剥がれて板状食品の一端が露出した状態で引き出せ、しかも包装容器内で板状食品の数が減っても、板状食品がばらばらになることのない、より改善された包装構造を提供することを主たる目的とする。
【課題を解決するための手段】
【０００７】
請求項１記載の発明は、包装紙により個包装したガム等の板状食品を複数枚整列させた状態で集積して包装容器に収容する包装構造であって、前記包装紙は、前記板状食品を前記包装容器から取り出す際の引き抜き方向側を覆う第１包装紙片と、反引き抜き方向側を覆う第２包装紙片とを有し、前記第１包装紙片および第２包装紙片は、互いに重なり合う重ね合わせ部を有し、当該重ね合わせ部は所定の力以上の引っ張り力が加わると分離可能なように、紙同士の摩擦力で結合し合うオーバーラップ摩擦結合領域となっており、前記包装紙によって各板状食品が個包装されており、かつ、前記包装容器に収容された状態で、前記各包装紙の第２包装紙片を前記包装容器内に留め置くように、前記第２包装紙片を前記包装容器内に接着するための接着手段を有することを特徴とする、包装構造である。
【発明の効果】
【０００８】
請求項１記載の発明によれば、各板状食品を個包装する包装紙は、第１包装紙片および第２包装紙片のオーバーラップ領域同士が互いに摩擦力で結合されることにより、一体の個包装紙となっている。この場合、第１包装紙片が第２包装紙片の外側をオーバーラップするように重ねても、第２包装紙片が第１包装紙片の外側をオーバーラップするように重ねても、どちらでもよい。そして、この個包装紙で各板状食品が個包装されている。また、個包装紙を構成する第１包装紙片および第２包装紙片のうち、第２包装紙片は包装容器内に留まるように、包装容器内に接着手段により接着されている。このため、板状食品を包装容器から、板状食品の一端が露出された喫食し易い状態で取り出すことができる。また、板状食品を個々に引き出しても、包装容器内に残った板状食品の整列状態は維持される。
【０００９】
包装容器内に残った第２包装紙片は、接着手段で包装容器内に固定されているため、包装容器内にそのまま残り、他の残りの板状食品を包装している第２包装紙片との関係もそのままであるから、包装容器に収容された残りの板状食品は、当初の整列状態のまま包装容器内に収容された状態が維持される。つまり、包装容器から板状食品を引き出し、喫食していくにつれて、包装容器内の板状食品の枚数は減少していくが、第２包装紙片を介して板状食品は包装容器内に固定されているため、その整列状態が乱れたりせず、取り出し易い状態のまま包装容器内に収容されている。
【図面の簡単な説明】
【００１０】
【図１】図１は、この発明の一実施形態にかかる包装構造が適用された包装体１Ｃの斜視図である。
【図２】図２は、包装体１Ｃの断面図である。
【図３】図３は、包装体１Ｃの製造方法を説明する模式図である。
【図４】図４は、包装体１Ｃの使用状態を説明する模式図である。
【図５】図５は、この発明の他の実施形態にかかる包装構造が適用された包装体１Ｄの断面図である。
【図６】図６は、包装体１Ｄの製造方法を説明する模式図である。
【図７】図７は、包装体１Ｄの使用状態を説明する模式図である。
【図８】図８は、この発明のさらに他の実施形態にかかる包装構造が適用された包装体１Ｅの製造方法を説明する模式図である。
【図９】図９は、包装体１Ｅの断面図である。
【発明を実施するための形態】
【００１１】
以下には、図面を参照して、この発明の実施形態について具体的に説明をする。
図１は、この発明の一実施形態にかかる包装構造が適用された包装体１Ｃの斜視図である。図１を参照して、包装体１Ｃは、包装容器２と、この包装容器２に収容された包装対象物としての複数の板状食品３と、これらの板状食品３を個包装する複数の包装紙４Ｃとを有している。板状食品３としては、例えば、ガム、チョコレート等である。
【００１２】
包装紙４Ｃにより個包装したガム等の板状食品３は、複数枚整列させた状態で集積され、包装容器２に収容されている。なお、図１は、包装容器２内に整列した複数の板状食品３のうちの一つを取り出した状態を図示している。また、以下では、板状食品３を包装紙４Ｃにより個包装したものを、食品ユニット３０ともいう。この食品ユニット３０は、板状食品３と包装紙４Ｃとを含んでいる。
【００１３】
包装容器２は、箱形状をなしており、例えば、紙材により形成されている。包装容器２は、開口２０を有する容器形状をなす主体部２１と、主体部２１の開口２０を開閉可能に覆う蓋２２と、蓋２２と主体部２１とを連結する連結部２３とを有している。なお、包装容器２は、紙製の他、合成樹脂により形成してもよい。主体部２１と、蓋２２と、連結部２３とは、展開形状の一枚の紙材を折り曲げて形成されてなる。
【００１４】
蓋２２を開くことにより、包装容器２の開口２０を開放できる。包装容器２の開口２０を通じて、包装容器２から板状食品３を引き抜くことができる。
包装容器２内において、複数の板状食品３は、互いに直交する２方向Ｘ，Ｙ（当該板状食品３の長手方向Ｚにともに直交する２方向）に並んでいる。また、各板状食品３は、長手方向Ｚが互いに平行になるように、整列して配置されている。なお、本実施形態では、複数の板状食品３がＸ方向に列をなして４つ並ぶ場合（Ｙ方向に２列並ぶ）を説明するが、Ｙ方向に３つ以上並ぶ場合や、Ｙ方向には１つだけで、Ｘ方向に一列に並ぶ収容の仕方にも適用できる。
【００１５】
板状食品３は、当該板状食品３の長手方向Ｚに関して、引き抜き方向側３１と、反引き抜き方向側３２とを有している。引き抜き方向側３１は、包装容器２内において底板２４から遠い側に配置されている。反引き抜き方向側３２は、包装容器２内において底板２４に近い側に配置されている。
図２は、包装体１Ｃの部分断面図である。図１および図２を参照して、包装紙４Ｃは、板状食品３の引き抜き方向側３１を覆う第１包装紙片６１と、板状食品３の反引き抜き方向側３２を覆う第２包装紙片６２とを有している。
【００１６】
第１包装紙片６１および第２包装紙片６２は、所定の大きさ以上の引っ張り力が加わると分離し得るように、折り返し引っ掛け結合された一体の個包装紙となっている。
この個包装紙によって各板状食品３は個包装されて食品ユニット３０とされ、それが包装容器２に収容された状態で、個包装紙の第２包装紙片６２を包装容器２内に留めるように、第２包装紙片６２が集積紙８で囲われ、第２包装紙片６２と集積紙８とは接着剤６で接着され、さらに集積紙８は接着剤７で包装容器２内に接着されている。つまり、集積紙８および接着剤６、７が接着手段を構成している。
【００１７】
接着剤６と接着剤７とは、同じ仕様のものを利用できるし、異なる仕様のものを用いても良い。いずれの場合も、食品ユニット３０を引き出すときに、個包装紙の第２包装紙片６２を包装容器２内に留めることができる。
これにより、板状食品３の一端としての反引き抜き方向側３２が露出した喫食し易い状態で、板状食品３を包装容器２から引き出すことができる。これとともに、喫食に伴って包装容器２内の板状食品３の数が減少しても、第２包装紙片６２を介して板状食品３は包装容器２内に固定されているため、その整列状態が乱れたりせず、取り出し易い状態のまま包装容器２内に収容できる。
【００１８】
第１包装紙片６１は、板状食品３の長手方向Ｚに関して、板状食品３を把持できる長さで板状食品３の引き抜き方向側３１を覆っている。
第２包装紙片６２は、板状食品３の長手方向Ｚに関して、第１包装紙片６１で覆われていない板状食品３の反引き抜き方向側３２にある部分を覆っている。
また、第１包装紙片６１が板状食品３を覆い、且つ第２包装紙片６２が取り除かれた状態では、板状食品３の反引き抜き方向側３２が、板状食品３の長手方向Ｚに関して、口に入れることができる長さで露出されるようになっている。
【００１９】
図３は、包装体１Ｃの製造方法を説明する模式図である。第１包装紙片６１と第２包装紙片６２とは、板状食品３の長手方向Ｚの中間部において、互いにオーバーラップしている。オーバーラップしている部分が互いに折り返し引っ掛け結合している。すなわち、第１包装紙片６１の端部は、折り返し片６３を有している。第２包装紙片６２の端部は、折り返し片６４を有している。折り返し片６３，６４同士は、互いに逆向きに折り返されており、互いに引っ掛けられた状態で、互いに結合されている。なお、折り返し片６３が外側で折り返し片６４が内側となっていても、逆に折り返し片６３が内側で折り返し片６４が外側となっていても、どちらでもかまわない。これにより、第１包装紙片６１および第２包装紙片６２は、一体の個包装紙となっている。上述の折り返し引っ掛け結合では、第１包装紙片６１および第２包装紙片６２は互いに結合されている。一方で、所定の大きさ以上の引っ張り力が作用したときには、第１包装紙片６１および第２包装紙片６２の折り返し片６３，６４が変形し、その結合が解除される。そして、第１包装紙片６１および第２包装紙片６２が互いに分離するようになっている。
【００２０】
折り返し引っ掛け結合された第１包装紙片６１および第２包装紙片６２は、一体の個包装紙となる。この個包装紙を用いて、板状食品３の全体を包む。これにより食品ユニット３０が得られる。
次に、複数の食品ユニット３０を、集積紙８に並べる。このとき、第２包装紙片６２と集積紙８とを接着剤６で固定する。
【００２１】
次に、集積紙８により互いに連結された複数の食品ユニット３０を、包装容器２の主体部２１に入れる。集積紙８と包装容器２の主体部２１とを、接着剤７により固定する。これにより、包装体１Ｃを得る（図４参照）。
図４は、包装体１Ｃの使用状態を説明する模式図である。図４を参照して、所望の板状食品３を包装容器２から引き出す際には、第１包装紙片６１で覆われた板状食品３の引き抜き方向側３１を把持して、把持した板状食品３を、所定の引っ張り力以上の力で包装容器２から引き抜くようにする。これにより、板状食品３の根元側としての反引き抜き方向側３２が露出し、且つ、この根元側を覆っていた第２包装紙片６２が包装容器２内に残される。よって、板状食品３を包装容器２から、板状食品３の一端としての反引き抜き方向側３２が露出された喫食し易い状態で取り出すことができる。
【００２２】
また、各食品ユニット３０は、第２包装紙片６２を介して包装容器２内に固定されている。従って、包装容器２に収容された残りの食品ユニット３０は、当初の整列状態のまま包装容器２内に収容された状態が維持される。つまり、包装容器２から板状食品３を引き出し、喫食していくにつれて、包装容器２内の食品ユニット３０（板状食品３）の枚数は減少していくが、第２包装紙片６２を介して食品ユニット３０（板状食品３）は包装容器２内に固定されているため、その整列状態が乱れたりせず、取り出し易い状態のまま包装容器２内に収容されている。
【００２３】
次に、本発明の他の実施形態について説明する。なお、以下の実施形態では、上述の実施形態と異なる点を中心に説明する。他の構成については、上述の実施形態と同様であり、上述の実施形態と同じ符合を付しておく。
図５は、この発明の他の実施形態にかかる包装構造が適用された包装体１Ｄの部分断面図である。図６は、包装体１Ｄの製造方法を説明する模式図である。図７は、包装体１Ｄの使用状態を説明する模式図である。
【００２４】
図５の包装体１Ｄは、図１に示す実施形態の包装紙４Ｃに代えて、包装紙４Ｄを有している。包装紙４Ｄは、第１包装紙片７１および第２包装紙片７２を有している。
図５および図６を参照して、第１包装紙片７１および第２包装紙片７２は、紙同士の摩擦力で結合し合うオーバーラップ領域７３，７４を有している。これらオーバーラップ領域７３，７４同士を摩擦力で互いに結合することにより、第１包装紙片７１および第２包装紙片７２は、一体の個包装紙となっている。
【００２５】
この個包装紙によって各板状食品３は個包装されて食品ユニット３０となっており、所定数の食品ユニット３０が包装容器２に収容された状態で、個包装紙の第２包装紙片７２を包装容器２内に留めるように、集積紙８および接着剤６，７が採用されている。
第１包装紙片７１と第２包装紙片７２とのオーバーラップ領域７３，７４は、板状食品３の長手方向Ｚの中間部に配置されている。オーバーラップ領域７３，７４は、互いに密着状態であり、紙同士の静止摩擦力により、第１包装紙片７１および第２包装紙片７２は互いに結合されている。なお、オーバーラップ領域７３，７４の配置位置は、板状食品３を引き抜く際に容易に把持可能とするために、引き抜き方向側３１に充分な把持領域を有することができるよう、配慮する必要がある。また、オーバーラップ領域７３が外側でオーバーラップ領域７４が内側となっても、逆にオーバーラップ領域７３が内側でオーバーラップ領域７４が外側となっても、どちらでもかまわない。一方で、所定の大きさ以上の引っ張り力、すなわち紙同士の静止摩擦力以上の引っ張り力が作用したときには、第１包装紙片７１および第２包装紙片７２のオーバーラップ領域７３，７４同士が相対変位し、その結合が解除される。そして、第１包装紙片７１および第２包装紙片７２が互いに分離するようになっている。
【００２６】
第１包装紙片７１および第２包装紙片７２の一部同士を互いに重ね合わされた一体の個包装紙を用いて、板状食品３の全体を包む。これにより食品ユニット３０が得られる。
次に、複数の食品ユニット３０を、集積紙８に並べる。このとき、第２包装紙片７２と集積紙８とを接着剤６で固定する。
図７を参照して、次に、集積紙８により互いに連結された複数の食品ユニット３０を、包装容器２の主体部２１に入れる。集積紙８と包装容器２の主体部２１とを、接着剤７で固定する。これにより、包装体１Ｄを得る。
【００２７】
所望の板状食品３を包装容器２から引き出す際には、個包装紙で覆われた板状食品３の引き抜き方向側３１を把持して、把持した板状食品３を、オーバーラップ領域７３，７４の紙同士の静止摩擦力以上の引っ張り力で包装容器２から引き抜くようにする。これにより、板状食品３の根元側としての反引き抜き方向側３２が露出し、且つ、この根元側を覆っていた第２包装紙片７２が包装容器２内に残される。よって、板状食品３を包装容器２から、板状食品３の一端としての反引き抜き方向側３２が露出された喫食し易い状態で取り出すことができる。
【００２８】
また、図１の実施形態と同様に、包装容器２に収容された残りの板状食品３は、当初の整列状態のまま包装容器２内に収容された状態が維持される。
図８は、この発明のさらに他の実施形態にかかる包装構造が適用された包装体１Ｅの製造方法を説明する模式図である。図９は、包装体１Ｅの断面図である。
包装体１Ｅは、図１に示す実施形態の包装紙４Ｃに代えて、図８の包装紙４Ｅを有している。包装紙４Ｅは、第１包装紙片７１と、第２包装紙片８２とを有している。
【００２９】
図８に示す本実施形態では、板状食品３を第１包装紙片７１で覆い、その後、第２包装紙片８２でさらに覆うようにしている。
第２包装紙片８２は、板状食品３の反引き抜き方向側３２および第１包装紙片７１の反引き抜き方向側にある部分をオーバーラップするように覆っている。第２包装紙片８２は、板状食品３の長手方向Ｚを帯状に巻いている。
【００３０】
本実施形態でも、第１包装紙片７１および第２包装紙片８２は、所定の大きさ以上の引っ張り力が加わると分離し得るように、紙同士の摩擦力で結合し合うオーバーラップ領域７３，８４を有している。なお、オーバーラップ領域７３，８４の配置位置は、板状食品３を引き抜く際に容易に把持可能とするために、引き抜き方向側３１に充分な把持領域を有することができるよう、配慮する必要がある。
【００３１】
また、各板状食品３が包装容器２に収容された状態で、第２包装紙片８２が包装容器２内に留め残されるように、第２包装紙片８２が包装容器２内に接着手段としての集積紙８、接着剤６，７により接着されて固定されている。
図８を参照して、包装体１Ｅは、例えば、下記のようにして製造することができる。
先ず、第１包装紙片７１を用いて、板状食品３の引き抜き方向側３１を包む。このとき、板状食品３の反引き抜き方向側３２は、露出させる。次に、第１包装紙片７１で包装された板状食品３における反引き抜き方向側３２（露出した部分）、および第１包装紙片７１の一部を、第２包装紙片８２で巻くようにして覆う。これにより、食品ユニット３０が得られる。
【００３２】
次に、複数の食品ユニット３０を、集積紙８に並べる。このとき、第２包装紙片８２と集積紙８とを接着剤６で固定する。
次に、集積紙８により互いに連結された複数の食品ユニット３０を、包装容器２の主体部２１に入れる。集積紙８と包装容器２の主体部２１とを、接着剤７で固定する。これにより、包装体１Ｅを得る（図８参照）。
【００３３】
本実施形態においても、板状食品３を包装容器２から、板状食品３の一端が露出された喫食し易い状態で取り出すことができる。また、包装容器２内に残った第２の包装紙片８２は、接着剤６で包装容器２内に固定されているため、板状食品３を個々に引き出しても、包装容器２内に残った板状食品３の整列状態は維持される。
その他、特許請求の範囲に記載された事項の範囲で種々の設計変更を施すことが可能である。
【符号の説明】
【００３４】
１Ｃ、１Ｄ、１Ｅ    包装体
２    包装容器
３    板状食品
４Ｃ、４Ｄ、４Ｅ    包装紙（個包装紙）
６，７    接着剤
８    集積紙
２０    開口
２１    主体部
２２    蓋
２３    連結部
２４    底板
３０    食品ユニット
３１    引き抜き方向側
３２    反引き抜き方向側
６１，７１    第１包装紙片
６２，７２，８２    第２包装紙片
６３、６４    折り返し片
７３，７４，８４    オーバーラップ領域
Ｘ、Ｙ    方向
Ｚ    長手方向
【図１】
0005882432.tif 000002
【図２】
0005882432.tif 000003
【図３】
0005882432.tif 000004
【図４】
0005882432.tif 000005
【図５】
0005882432.tif 000006
【図６】
0005882432.tif 000007
【図７】
0005882432.tif 000008
【図８】
0005882432.tif 000009
【図９】
0005882432.tif 000010